【事件の表示】
　平成　２年特許願第２８２１５８号「データ処理装置及びデータ処理方法」拒絶査定に対する審判事件［平成　４年　５月２８日出願公開、特開平　４−１５５５１８］について、次のとおり審決する。
【結　論】
　本件審判の請求は、成り立たない。
【理　由】
【１】本願発明
　本願は、平成２年１０月１９日の出願であって、その発明を特定するために必要な事項は、平成９年１０月８日付、平成１１年２月１９日付及び平成１３年６月１９日付の各手続補正書により補正された明細書及び図面の記載からみて、その特許請求の範囲の請求項１乃至２に記載された「データ処理装置及びデータ処理方法」にあるものと認められるところ、当該請求項１に記載された発明（以下、「本願発明」という。）は、次のとおりのものである。
「(1)文書を記憶する記憶手段と、
　文字や図形などを表示画面に表示する表示手段と、
　前記記憶手段に記憶された文書データの印刷順序を管理する文書印刷管理テーブルと、
　前記表示手段に表示された画面データの印刷順序を管理する画面印刷管理テーブルと、
　前記文書印刷管理テーブル及び前記画面印刷管理テーブルに従って、前記文書の印刷及び前記表示画面の印刷を制御する印刷制御手段と、を備え、
　前記印刷制御手段は、
前記文書印刷管理テーブルの文書データの印刷イメージ展開時に画面印刷要求があると直ちに文書データの印刷イメージ展開を中止して、
行わせる
【２】引用刊行物記載の発明
(1)当審における拒絶の理由に引用された特開昭61-196326号公報（以下、「刊行物１」という。）には、従来例と実施例及び図面第1、2図に係わる記載を参酌すると、以下の各記載が認められる。
(1-1)「第2図はマルチステーションシステムの構成例を示す図であって、2a〜2nはディスプレイステーション、1はマスタファイル等を備えディスプレイステーション2a〜2nを制御するステーションコントローラである。
　ディスプレイステーション2a〜2nはインテリジェント機能を有し、表示画面と会話しながらデータの入出力、データ処理が可能な端末装置であって、必要に応じてステーションコントローラ1と通信を行い、例えばマスタファイルよりデータを読取り在庫検索等の処理を行う。
　ステーションコントローラ1は各ディスプレイステーションに対して常時ポーリングを行い、送信要求、指令等を送出して通信を行いマスタファイルのアクセス等を行うとともに、ステーション間の通信を中継する。
　一方ディスプレイステーション2a〜2nはプリンタ3の接続が可能であって、適宜ディスプレイステーションが選択されてプリンタ3が設置される。
　プリンタ3を接続したディスプレイステーション（以下プリンタステーションと称する）は該ステーションの他、各ステーションからの印刷依頼を受付け、印刷データを受信して該印刷を実行する。」（第2頁左上欄第3行〜同頁右上欄第7行）
(1-2)「上記本発明によれば、印刷ジョブごとに優先順位を付しておき、受付印刷ジョブを優先順位別に管理するとともに、プリンタに送出するデータを頁単位に監視し、頁終了情報（改頁信号）を検出すると優先順位の高い受付印刷ジョブを割り込ませる。」（第2頁右下欄第2〜7行）
(1-3)「第1図は本発明の実施例を説明するプリンタステーションの印刷管理のブロック図であって、8は実行中の印刷データとともに、割込み印刷データを一時格納する印刷データバッファ、9は印刷管理部であって、受付印刷ジョブを順位判別テーブル10を参照して優先順位を判別し、受付管理テーブル12に格納するとともに、印刷実行中のデータ即ちプリンタ3に送出するデータの改頁情報を監視する頁監視部11を備えている。
　順位判別テーブル10には予め定めた印刷ジョブの優先順位が格納されているもので、売上伝票印刷等の第1線級ジョブに対しては上位が、またオフライン処理等の帳票作成等は下位の優先順位が与えられている。
　……（中略）……。
 (5)印刷ジョブ実行中、他のディスプレイステーションより印刷依頼を受付た場合は、受付管理テーブル12に格納するとともに、実行中の印刷ジョブより優先順位が高位の場合は、プリンタ3へ転送中の印刷データを監視し、改頁を検出、送出したのち、該印刷ジョブの実行を一時中止し、その印刷情報を退避記憶部15に格納する。
 (6)続いて該優先順位の高い上記印刷ジョブを実行するため該当ディスプレイステーションに印刷データの送信を要求し、その印刷を優先実行する。
 (7)上記優先処理実行後、退避記憶部15を検索して中止した前記印刷ジョブに復帰する。」（第2頁右下欄第13行〜第3頁左下欄第6行）
(2)同じく、当審における拒絶の理由に引用された特開昭62-216028号公報（以下、「刊行物２」という。）には、従来例と図面第6、7図に係わる記載を参酌すると、以下のような技術的事項の記載が認められる。
(2-1)「第6図に示すブロック図はオフィスオートメイション用として主に使用用されるデータ処理装置50（第8図にその接続状況を示す）の構成概要図であり、
　データ処理装置50の処理動作を制御するコントローラ10、制御用データ，印刷指定用データ，表示用データを記憶するメモリ11，12、データ表示用画面となるCRTディスプレイ13、キーボード2，プリンタ3及び上位のホスト装置60とのデータや信号の入出力機能を有するI/Oポート14，15とを具備する本体部1と、
　外部からのデータ投入やハードコピー処理指定用印刷キー(a)を有するキーボード2と、
　CRTディスプレイ14に表示している画面データや、その他のデータを印刷するプリンタ3とから構成されている。」（第2頁右上欄第10行〜第2頁左下欄第6行）
(2-2)「従来、ハードコピー処理機能を有するデータ処理装置50ではハードコピー処理制御方式が1つの方式で固定されていた。
　即ち、CRTディスプレイ13上に例えば‘あいうえお’と表示（第7図(B)に示す）されており、この表示文字をハードコピーしたい場合は、キーボード2に付加されている印刷キー(a)を押下するとI/Oポート14を介してその信号がコントローラ10に送出される。
　コントローラ10は印刷キー(a)からの信号を確認すると予め制御データメモリ11に格納されているハードコピー実施方法に基づき第7図(A)に示すような手順で処理する。
　即ち、ハードコピーが指示されると、プリンタ3が使用中かどうかをコントローラ10で判定し、未使用状態であれば直ちに‘あいうえお’のハードコピーを実施する。
　もし、プリンク3が使用中であれば以下の方法で処理される。尚、以下の方法は従来実施されている方法の代表的な例であり、しかもこれらの内の1つがそのデータ処理装置50に対して固定的に決められている。即ち、
 (1)プリンタ3が使用中であれば、ハードコピーをキャンセルする方法。
 (2)プリンタ3が使用中であれば、処理中のデータ印刷が終了後ハードコピーを実施する方法。
 (3)プリンタ3が使用中であれば、処理中のデータ印刷のページとページとの間でハードコピーを実施する方法。
 (4)プリンタ3が使用中の場合であっても、ハードコピー処理が指定された時点で処理中のデータ印刷を中断してハードコピーを実施する方法。
等で処理される。
　尚、上記(2)〜(4)で処理する時の印刷結果状況を第7図(B)に示す。」（第2頁左下欄第12行〜第3頁左上欄第6行）
　したがって、この刊行物２には、印刷順位が上位の画面（印刷データの）印刷であるハードコピー及び印刷順位が下位の印刷である文書（印刷データの）印刷を制御する印刷制御手段を備え、前記印刷制御手段は、前記文書印刷を中断する等して前記ハードコピーを先に印刷させるように制御するデータ処理装置が開示されており、また前記ハードコピー処理が指定された時点で印刷処理中であれば、そのデータ印刷を中断してハードコピーを実施する技術的事項が開示されている。
【３】対比、判断
（対比）
　本願発明と前記刊行物１に記載された発明とを対比すると、両者は、以下のとおりの一致点及び相違点を有するものと認められる。
（一致点）
「印刷データを記憶する記憶手段と、
　印刷データを表示画面に表示する表示手段と、
　印刷順位が上位の印刷データの印刷順序を管理する上位印刷データ管理テーブルと、
　印刷順位が下位の印刷データの印刷順序を管理する下位印刷データ管理テーブルと、
　前記上位印刷データ管理テーブル及び前記下位印刷データ管理テーブルに従って、前記上位印刷データの印刷及び前記下位印刷データの印刷を制御する印刷制御手段とを備え、
　前記印刷制御手段は、前記上位印刷データ管理テーブルの印刷データの印刷要求があると、前記下位印刷データ管理テーブルの印刷データの印刷よりも先に印刷を行わせるように制御するデータ処理装置。」
（相違点）
(i)本願発明にあっては、印刷順位が上位の印刷データを表示手段に表示された文字や図形などの画面データとし、印刷順位が下位の印刷データを記憶手段に記憶された文書データとしているのに対して、刊行物１にあっては、文書データや画面データなどの印刷データについて印刷順位が明示されていない点。
(ii)本願発明にあっては、前記文書印刷管理テーブルの文書データの印刷イメージ展開時に画面印刷要求があると直ちに文書データの印刷イメージ展開を中止して画面データの印刷を行わせるのに対して、刊行物１にあっては、印刷イメージ展開時に画面印刷要求があると直ちに印刷イメージ展開を中止して画面データの印刷を行わせるのか明らかでない点。
（判断）
　前記相違点について、以下に検討する。
　相違点(i)について、前記刊行物２には、印刷順位が上位の画面（印刷データの）印刷であるハードコピー及び印刷順位が下位の印刷である文書（印刷データの）印刷を制御する印刷制御手段を備え、前記印刷制御手段は、前記文書印刷を中断する等して前記ハードコピーを先に印刷させるように制御するデータ処理装置が記載されおり、また前記刊行物１に記載の印刷データにおいても、印刷すべきデータに印刷の優先順位を付けて割込印刷処理が行われるものであるから、刊行物２に記載の技術的事項を採用して印刷順位が上位の印刷データをハードコピー（画面データ）とすることにより本願発明のように構成することは当業者が容易になし得ることと認められる。
　相違点(ii)について、前記刊行物２には、前記したように「プリンタ3が使用中の場合であっても、ハードコピー処理が指定された時点で処理中のデータ印刷を中断してハードコピーを実施する」旨記載されており、この記載から印刷制御手段は、印刷の優先順位が上位である画面のハードコピーを先に印刷させるように制御するもので、印刷中のデータ展開時にもこれを中止するように制御して画面のハードコピー処理（画面データの印刷）を行わせるものと認められるから、刊行物２に記載の技術的事項を採用して文書データの印刷イメージ展開時に画面印刷要求があると直ちに文書データの印刷イメージ展開を中止して画面データの印刷を行わせることにより、本願発明のように構成することは当業者が容易になし得ることと認められる。
　また、本願発明による作用効果も、当業者が容易に予測し得るものであって格別のものとは認められない。
【４】まとめ
　以上のとおりであって、本願の特許請求の範囲の請求項１に係る発明は、刊行物１乃至２に記載された発明に基づいて当業者が容易に発明をすることができたものと認められるので、特許法第２９条第２項の規定により特許を受けることができない。
　したがって、本願は、その余の請求項について論及するまでもなく、拒絶すべきものである。
　よって、結論のとおり審決する。